(57)【要約】      （修正有）【課題】釣りの状況に応じて容易に交換可能であると共に、釣りの過程で所定の衝撃が作用した場合であっても確実に釣り糸への装着状態を維持することができる釣り用錘を提供する。【解決手段】釣り糸１１を挿通しうる円筒状の釣り糸保持部材１２と、釣り糸保持部材が着脱可能に挿通固定される挿通凹部１３が形成された球状の錘本体１４とを備えた釣り用錘１０であって、釣り糸保持部材には係止凸部１５が形成されていると共に錘本体の挿通凹部には、係止凸部が着脱可能に係合する係合凹部が形成されている。【選択図】図１
0003196430.tif 000002
【実用新案登録請求の範囲】
【請求項１】
釣り糸を挿通しうる釣り糸保持部材と、上記釣り糸保持部材が着脱可能に挿通固定される挿通凹部が形成された球状の錘本体とを備えた釣り用錘であって、上記釣り糸保持部材は円筒状に形成されると共に係止凸部が形成されている一方、上記錘本体の挿通凹部には、上記係止凸部が着脱可能に係合する係合凹部が形成されていることを特徴とする釣り用錘。
【請求項２】
上記釣り糸保持部材は、挿通部本体と、上記挿通部本体の先端部に形成された径大部とにより構成され、上記係止凸部は挿通部本体の周縁部に形成された円形フランジからなることを特徴とする請求項１記載の釣り用錘。
【請求項３】
上記挿通凹部は、錘本体の周縁部において貫通して円筒状孔部として形成され、細幅の開口部を有する挿通凹部本体と、上記挿通凹部本体の軸方向両端部に形成された大径開口部とを有していることを特徴とする請求項２記載の釣り用錘。
【請求項４】
上記係止凸部は、上記挿通部本体の中間部に形成されていることを特徴とする請求項１記載の釣り用錘。
【請求項５】
上記係止凸部は、上記挿通部本体の周縁部全域に亘って形成されていることを特徴とする請求項４記載の釣り用錘。
【請求項６】
上記錘本体は、径方向両端部に平面部が形成されていることを特徴とする請求項１記載の釣り用錘。
【考案の詳細な説明】
【技術分野】
【０００１】
本考案は、釣り糸に装着される釣り用錘の改良に関する。
【背景技術】
【０００２】
一般に、釣り糸に装着して使用される釣り糸用錘は、鉛やタングステン製であって、成型時や成型後の後加工により貫通する孔部が開設されて形成されており、いわゆる仕掛けの態様によって、例えば、その孔部内に、直接に道糸を通して誘引部及び針部を接続するものや、釣り糸用錘に誘引部及び針部が接続されたハリスを通して錘上部において道糸と接続するようにしたものもある。
【０００３】
この場合、水深や潮流等の変化に応じて適宜錘の大きさを調節する必要があるが、従来は、錘に挿通されている糸と誘引部及び針部との接続部分を取り外すか、又は切断することにより、一度、糸を錘の孔部から抜き取り他の錘に付け替える必要があった。
【０００４】
しかしながら、釣り人にとってこのような付け替えの作業を波に揺れる船上で行うことは非常に煩雑であり、また、釣り人が高齢者であった場合には、船上でなくとも困難な場合があった。  
【０００５】
従って、従来より、容易に交換できる釣り用錘が要請されていたが、このような要請に応えるものとして、例えば、特許文献１に開示された技術がある。
特許文献１には、釣り糸を挿通しうる弾性素材からなる略円筒状の釣り糸保持部材と、上記釣り糸保持部材が着脱可能に挿通固定される挿通孔部が中心部に形成された金属製の球状の錘本体とを備えた釣り用錘が開示されている。
【０００６】
この技術においては、上記釣り糸保持部には、軸方向全域に沿って径方向に開口する開口部が形成されている。従って、このような従来の釣り糸用錘を使用する場合には、使用者は上記開口部を径方向に沿って弾性変形させることにより潰し、径寸法を小さくした状態で錘本体の挿通孔部へ圧入し、弾性変形により復元させて径方向に拡開させることにより、釣り糸用保持部材を錘に固定させるように構成されている。
【０００７】
しかしながら、このような従来の釣り用錘にあっては、釣り糸保持部材の錘本体への固定は、弾性素材からなる釣り糸保持部材の径方向における拡開方向における弾性力のみに依存していたことから、例えば、釣の最中に釣竿を介して釣り糸を非常に速く操作したような場合や、海中において速い水流が発生し、所定の外力が作用したような場合には、錘本体が釣り糸保持部材から外れてしまい、錘を再度装着する必要がある場合がある、という不具合が存していた。
【特許文献１】特開２０１０−２３３５３４号公報
【考案の開示】
【考案が解決しようとする課題】
【０００８】
本考案はこのような従来からの不具合を解決するためになされたものであって、その課題は、釣りの状況に応じて容易に交換可能であると共に、釣りの過程で所定の衝撃が作用した場合であっても確実に釣り糸への装着状態を維持することができる釣り用錘を提供することにある。
【課題を解決するための手段】
【０００９】
上記課題達成のため、請求項１記載の考案にあっては、釣り糸を挿通しうる円筒状の釣り糸保持部材と、上記釣り糸保持部材が着脱可能に挿通固定される挿通凹部が形成された球状の錘本体とを備えた釣り用錘であって、上記釣り糸保持部材には係止凸部が形成されていると共に上記錘本体の挿通凹部には、上記係止凸部が着脱可能に係合する係合凹部が形成されていることを特徴とする。
【００１０】
従って、請求項１記載の考案にあっては、使用時には、釣り糸を挿通させた状態の上記釣り糸保持部材へ上記錘本体を、上記係止凸部を上記係合凹部へ係合させて固定する。
【００１１】
請求項２記載の考案にあっては、上記釣り糸保持部材は、挿通部本体と、上記挿通部本体の先端部に形成された径大部とにより構成され、上記係止凸部は挿通部本体に形成された円形フランジからなることを特徴とする。
従って、使用時に、上記釣り糸保持部材に錘本体を固定する場合には、円形フランジからなる係止凸部を上記係合凹部に係合させる。
【００１２】
請求項３記載の考案にあっては、上記挿通凹部は、錘本体の周縁部において貫通した円筒状孔部として形成され、細幅の開口部を有する挿通凹部本体と、上記挿通凹部本体の軸方向両端部に形成された大径開口部とを有していることを特徴とする。
【００１３】
請求項４記載の考案にあっては、上記係止凸部は、上記挿通部本体の中間部に形成されていることを特徴とする。
請求項５記載の考案にあっては、上記係止凸部は、上記挿通部本体の周縁部全域に亘って形成されたフランジ部からなることを特徴とする。
【００１４】
請求項６記載の考案にあっては、上記錘本体は、径方向両端部に平面部が形成されていることを特徴とする。
【考案の効果】
【００１５】
請求項１記載の考案にあっては、錘本体を釣り糸を挿通させた状態の上記釣り糸保持部材へ、上記係止凸部を上記係合凹部へ係合させて固定するように構成されていることから、錘本体は確実に釣り糸保持部材へ係合固定され、激しく釣り糸を振ったような場合や、速い水流が作用し、所定の外力が錘に作用した場合であっても、錘本体が釣り糸保持部材から脱落し釣り糸から錘が外れてしまうことなく、確実に、錘を釣り糸に装着しておくことが可能となる。
【００１６】
また、請求項１記載の考案に係る釣り用錘にあっては、錘本体を変更したい場合には、錘本体と釣り糸保持部材との係合状態を解除し、錘本体を釣り糸保持部材から手軽に取り外すことができるため、従来のように、糸を切断したり、糸を結びかえる作業を行うことなく、水深、水流等の個別状況に応じて、適宜、所望の重量の錘に、容易かつ迅速に交換することができる。
【００１７】
請求項２記載の考案にあっては、上記係止凸部は挿通部本体に形成された円形フランジからなるため、釣り糸保持部材を錘本体に装着固定する場合には、上記円形フランジからなる係止凸部を錘本体に形成されている挿通凹部に挿入するのみでよく、また、錘本体の交換のために釣り糸保持部材から錘本体を離脱させる場合には、挿通凹部から抜き取るのみでよいことから、装着及び交換作業が容易となる。
【００１８】
請求項３記載の考案にあっては、上記挿通凹部は、錘本体の周縁部において貫通して円筒状孔部として形成され、細幅の開口部を有する挿通凹部本体と、上記挿通凹部本体の両端部に形成された大径開口部とを有していることから、上記大径開口部を介して釣り糸保持部材を挿通凹部内に挿入させやすく、錘の装着及び交換作業が容易に行うことができる。
【００１９】
また、この種の錘は、釣りの際には釣竿を操作して、一度錘を海底へ落し、その後釣り糸を巻き上げることにより、魚を誘引するように使用されるが、本考案にあっては、挿通凹部が錘本体の周縁部に形成されていることから、錘本体の重心位置が中心部から径方向周縁部に偏移するため、錘が釣り糸に安定して吊下されることとなる。
その結果、潮の流れが大きい場合や釣り糸を速く巻き上げ、錘に対して所定の外力が作用した場合であっても、錘本体が糸の周りを回転したり、装着方向がずれることがないため安定した状態で釣りをすることが可能となる。  
【００２０】
請求項４記載の考案にあっては、上記係止凸部は、上記挿通部本体の中間部に形成されていることから、釣り糸保持部材を安定した状態で錘本体に係合固定することが可能となり、その結果、激しい釣竿の操作が行われ釣り糸から所定の引張力が入力された場合や、海中で速い水流等による外力が作用した場合であっても、釣り糸保持部材は確実に錘本体に係合固定されているため脱落することはない。
【００２１】
上記のように、一般にこの種の錘は、一度、錘を海底へ落し、その後釣り糸を巻き上げることにより、魚を誘引するように使用されるものであるが、魚を誘う観点からは、水流が大きい場合や、釣り糸を速く巻き上げた場合に、錘が水中において過度に動きすぎる事態は適当ではない。
【００２２】
この点において、請求項６記載の考案にあっては、上記錘本体は、径方向両端部に平面部が形成されていることから、完全な球状に形成されている場合に比して、平面部において水中において水流の抵抗を受けるため、錘の姿勢が安定し、錘が動きすぎる事態を防止することができ、魚のルアーへの食いつきを良好にし、釣果を向上させることができる。
【００２３】
また、釣り糸を巻き上げる際には、完全な球体に形成された場合よりも流体抵抗を減ずることができるため、錘が水中で不安定な状態にならず、その結果、釣り糸の状態を安定させることが可能となり、釣り人が魚が食いつくことにより発生するいわゆる「あたり」を感知しやすい状態にし、釣果を確実に確保できる。
さらに、上記平面部に、魚の誘引用の反射シール等を貼付することにより、魚の誘引効果を上昇させ、より釣果を上げることも可能となる。
【図面の簡単な説明】
【００２４】
【図１】本考案に係る釣り用錘の一実施の形態を示す斜視図である。
【図２】本考案に係る釣り用錘を構成する釣り糸保持部材と錘本体の関係を示す分解者斜視図である。
【図３】本考案に係る錘本体を示す斜視図である。
【考案を実施するための最良の形態】
【００２５】
以下、添付図面に示す実施の形態に基づき、本考案を詳細に説明する。
図１に示すように、本実施の形態に係る釣り用錘１０は、釣り糸１１を挿通しうる釣り糸保持部材１２と、上記釣り糸保持部材１２が着脱可能に挿通固定される挿通凹部１３が形成された全体略球状の錘本体１４とを備えている。
【００２６】
図２に示すように、上記釣り糸保持部材１２は円筒状に形成され、軸方向に沿って内部に釣り糸１１が挿通される孔部２３を有している。上記釣り糸保持部材１２は、挿通部本体１７と、上記挿通部本体１７の先端部に形成された径大部１８とにより構成され、上記係止凸部１５は挿通部本体１７の周縁部に形成された円形フランジからなる。
上記係止凸部１５は、上記挿通部本体１７の軸方向における中間部に形成されていると共に、上記挿通部本体１７の周縁部全域に亘って形成されている。
【００２７】
また、上記錘本体１４の挿通凹部１３には、上記係止凸部１５が着脱可能に係合する係合凹部１６が、挿通凹部１３の軸方向中間部に形成されており、係合凹部１６の内径寸法は係止凸部１５の径寸法と同一に形成されている。
【００２８】
図３に示すように、上記挿通凹部１３は、錘本体１４の周縁部において貫通した円筒状孔部として形成され、細幅の開口部１９を有する挿通凹部本体２０と、上記挿通凹部本体２０の両端部に形成された大径開口部２１、２１とを有している。挿通凹部１３の軸方向寸法は釣り糸保持部材１２の長さ寸法と同一に形成されていると共に、大径開口部２１、２１の径寸法は、釣り糸保持部材１２の径大部１８の径寸法と同一に形成されている。
【００２９】
上記錘本体１４は、径方向両端部に一対の平面部２２、２２が、挿通凹部１３の軸方向に沿って形成されている。その結果、本実施の形態にあっては、錘本体１４は、やや縦長の変形球状として形成されている。
【００３０】
以下、本実施の形態に係る釣り用錘１０の作用について説明する。
本実施の形態に係る釣り用錘１０を使用する場合には、まず、釣り糸１１を釣り糸保持部材１２の孔部２３内に挿通させる。その後、図２に示すように、釣り糸１１に装着された釣り糸保持部材１２の先端部２４側から錘本体１４の一方の大径開口部２１を介して釣り糸保持部材１２を挿通凹部１３内に挿入させる。
【００３１】
その後、挿通凹部１３内に形成された係合凹部１６に係止凸部１５を係合させることにより、釣り糸保持部材１２に錘本体１４を装着固定させる。この場合、挿通凹部１３の軸方向寸法は釣り糸保持部材１２の長さ寸法と同一に形成されていることから、図１に示すように、釣り糸保持部材１２は挿通凹部１３内に配置され、径大部１８は大径開口部２１内に配置された状態で、錘本体１４は釣り糸保持部材１２に装着固定される。
【００３２】
従って、釣り人は、この状態で、本実施の形態に係る釣り用錘１０を使用して釣りを行うことができる。また、水深や潮流、水流の状況に応じて、錘重量を変更したい場合には、挿通凹部１３内の係合凹部１６と係止凸部１５との係合を解除させて、錘本体１４を釣り糸保持部材１２から離脱させ、適宜、所望の重量の錘と交換して、同様の手順により、新たな錘本体を釣り糸保持部材１２に装着固定する。
【００３３】
従って、本実施の形態に係る釣り用錘１０にあっては、従来のように、糸を切断したり糸を結びかえることなく、釣りを行う際の状況に応じて、適宜、所望の重量の錘本体に容易かつ迅速に変更装着することができる。また、装着した錘は釣り糸保持部材１２に係合固定されることから、確実に装着され、釣りの様々な状況によっても脱落することはなく、安心して自由に使用することができる。
【００３４】
また、本実施の形態にあっては錘本体１４には、径方向両端部に一対の平面部２２、２２が挿通凹部１３の軸方向に沿って形成されていることから、海中において平面部２２、２２が水流の抵抗を受けることにより、錘本体１４が完全な球状に形成されている場合に比して、平面部２２、２２において水流抵抗を受けることにより結果的に釣り用錘１０全体の姿勢が安定し、錘が動きすぎる事態を防止することができ、魚のルアーへの食いつきを良好にし、釣果を向上させることができる。
【００３５】
また、釣り糸１１を巻き上げる際には、完全な球体に形成された場合よりも流体抵抗を減ずることができるため、錘が水中で不安定な状態にならず、その結果、釣り糸の状態を安定させることが可能となり、釣り人が魚が食いつくことにより発生するいわゆる「あたり」を感知しやすい状態にし、釣果を確実に確保できる。さらに、上記平面部２２、２２に、魚の誘引用の反射シール等を貼付することにより、魚の誘引効果を上昇させ、より釣果を上げることも可能となる。
なお、錘本体１４及び釣り糸用保持部材１２の具体的形状、構成に関しては本実施の形態に限定されない。
【産業上の利用可能性】
【００３６】
本考案は広く釣り用錘に適用することができるため、産業上の利用可能性を有している。
【符号の説明】
【００３７】
１０  釣り用錘
１１  釣り糸
１２  釣り糸保持部材
１３  挿通凹部
１４  錘本体
１５  係止凸部
１６  係合凹部
１７  挿通部本体
１８  径大部
１９  開口部
２０  挿通凹部本体
２１  大径開口部
２２  平面部
【図１】
0003196430.tif 000003
【図２】
0003196430.tif 000004
【図３】
0003196430.tif 000005
【手続補正書】
【提出日】平成27年1月8日(2015.1.8)
【手続補正１】
【補正対象書類名】実用新案登録請求の範囲
【補正対象項目名】請求項４
【補正方法】変更
【補正の内容】
【請求項４】
上記釣り糸保持部材は、挿通部本体と、上記挿通部本体の先端部に形成された径大部とにより構成され、上記係止凸部は挿通部本体の周縁部に形成された円形フランジからなり、上記係止凸部は、上記挿通部本体の中間部に形成されていることを特徴とする請求項２記載の釣り用錘。
【手続補正２】
【補正対象書類名】明細書
【補正対象項目名】００１３
【補正方法】変更
【補正の内容】
【００１３】
請求項４記載の考案にあっては、上記釣り糸保持部材は、挿通部本体と、上記挿通部本体の先端部に形成された径大部とにより構成され、上記係止凸部は挿通部本体の周縁部に形成された円形フランジからなり、上記係止凸部は、上記挿通部本体の中間部に形成されていることを特徴とする。
請求項５記載の考案にあっては、上記係止凸部は、上記挿通部本体の周縁部全域に亘って形成されたフランジ部からなることを特徴とする。
【手続補正３】
【補正対象書類名】明細書
【補正対象項目名】００２０
【補正方法】変更
【補正の内容】
【００２０】
請求項４記載の考案にあっては、上記釣り糸保持部材は、挿通部本体と、上記挿通部本体の先端部に形成された径大部とにより構成され、上記係止凸部は挿通部本体の周縁部に形成された円形フランジからなり、上記係止凸部は、上記挿通部本体の中間部に形成されていることから、釣り糸保持部材を安定した状態で錘本体に係合固定することが可能となり、その結果、激しい釣竿の操作が行われ釣り糸から所定の引張力が入力された場合や、海中で速い水流等による外力が作用した場合であっても、釣り糸保持部材は確実に錘本体に係合固定されているため脱落することはない。